【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
圧電素子を有する圧電装置を用いて、液体を収容する液体容器内の前記液体の消費状態を検出する回路であって、
前記圧電装置の振動部に残留する残留振動に基づいて前記圧電装置が発生した信号における所定個数のパルスが生じる時間を計測して検出結果に応じた信号を出力する検出回路部を備え、
前記検出回路部が、前記残留振動に基づいた前記信号のパルスの個数を数えるカウンタを有し、
前記検出回路部は、前記圧電装置が所定の回数残留振動して前記残留振動が安定した後に、前記カウンタによって数えられた所定個数のパルスが生じる時間を計測することにより、検出結果に応じた信号を出力することを特徴とする検出制御回路。
【請求項２】
圧電素子を有する圧電装置を用いて、液体を収容する液体容器内の前記液体の消費状態を検出する回路であって、
前記圧電装置の振動部に残留する残留振動に基づいて前記圧電装置が発生した信号における一定時間に発生したパルスの個数を計測して検出結果に応じた信号を出力する検出回路部を備え、
前記検出回路部が、前記残留振動に基づいた前記信号のパルスの個数を数えるカウンタを有し、
前記検出回路部は、前記圧電装置が所定の回数残留振動して前記残留振動が安定した後に、前記カウンタによって一定時間に発生したパルスの個数を計測することを特徴とする検出制御回路。
【請求項３】
前記検出回路部が、前記信号に前記所定の個数のパルスが生じる間における、前記信号のパルスの周期より短い振動周期を有するクロックの振動回数を数えるクロックカウンタを更に有し、前記カウンタおよび前記クロックカウンタが数えた値に基づいて、前記液体の消費状態を判定することを特徴とする請求項１または２に記載の検出制御回路。
【請求項４】
増幅器をさらに備え、前記増幅器が相補に接続されたＰＮＰ型トランジスタ及びＮＰＮ型トランジスタを有し、前記ＰＮＰ型トランジスタ及び前記ＮＰＮ型トランジスタのエミッタ同士が接続されたことを特徴とする請求項１または２に記載の検出制御回路。
【請求項５】
増幅器をさらに備え、前記増幅器が相補に接続されたＰ型電界効果トランジスタ及びＮ型電界効果トランジスタを有し、前記Ｐ型電界効果トランジスタ及び前記Ｎ型電界効果トランジスタのソース同士が接続され、前記ソースと前記Ｐ型電界効果トランジスタ又は前記Ｎ型電界効果トランジスタのソースとの結合点とグラウンドとの間に生じる駆動電圧が前記圧電装置に与えられることを特徴とする請求項１または２に記載の検出制御回路。
【請求項６】
前記残留振動を検出しないときに、前記検出回路部が、前記液体容器が前記検出制御回路に接続されていないことを通知する信号を出力することを特徴とする請求項１または２に記載の検出制御回路。
【請求項７】
複数の増幅器と複数の前記圧電装置とを更に備え、前記複数の増幅器のそれぞれが、前記複数の圧電装置にそれぞれ駆動電圧を与え、
前記検出回路部が、前記複数の圧電装置が発生した、それぞれの前記信号を入力して信号を出力することを特徴とする請求項１または２に記載の検出制御回路。
【請求項８】
前記検出回路が出力した前記液体の消費状態を表す信号に基づいて、前記液体を消費する動作を制御する制御回路部を更に備えたことを特徴とする請求項１または２に記載の検出制御回路。
【請求項９】
前記液体容器が、前記液体の消費状態を記憶する記憶手段を備え、
前記制御回路部が、前記記憶手段から前記液体の消費状態を読み出し、前記記憶手段に前記信号を測定することにより検出した前記液体の消費状態を前記記憶手段に書きこむ情報記憶制御回路部を有すること
を特徴とする請求項８に記載の検出制御回路。
【請求項１０】
前記液体容器が、インクジェット記録装置に装着されるインクカートリッジであり、前記インクジェット記録装置に設けられたことを特徴とする請求項８に記載の検出制御回路。
【請求項１１】
前記インクカートリッジ内の液体を吐出する印字ヘッドと、前記印字ヘッドから吐出されたインク滴の数を数えるドットカウンタとをさらに備えたことを特徴とする請求項１０に記載の検出制御回路。
【請求項１２】
前記検出回路部が、前記信号から得た前記液体の消費状態に基づいて、前記ドットカウンタが数えた前記インク滴の数から液体の消費量を算出する算出式のパラメータを補正することを特徴とする請求項１１に記載の検出制御回路。
【請求項１３】
コンピュータで読み取り可能な記録媒体であって、
圧電素子を有する圧電装置を用いて液体を収容する液体容器内の液体の消費状態を検出する記録装置制御回路を制御する液体消費状態検出プログラムを格納し、
前記液体消費状態検出プログラムが、
前記液体容器に装着された前記圧電装置の振動部に残留する残留振動に基づいて前記圧電装置が発生する信号における所定個数のパルスが生じる時間を計測して検出結果に応じた信号を出力するよう前記記録装置制御回路を制御する検出プログラム
を有し、
前記検出プログラムが、前記圧電装置が所定の回数残留振動した後に、前記残留振動に基づいた前記信号のパルスの個数を数えることを特徴とする記録媒体。
【請求項１４】
コンピュータで読み取り可能な記録媒体であって、
圧電素子を有する圧電装置を用いて液体を収容する液体容器内の液体の消費状態を検出する記録装置制御回路を制御する液体消費状態検出プログラムを格納し、
前記液体消費状態検出プログラムが、
前記液体容器に装着された前記圧電装置の振動部に残留する残留振動に基づいて前記圧電装置が発生する信号における一定時間に発生したパルスの個数を計測して検出結果に応じた信号を出力するよう前記記録装置制御回路を制御する入力プログラム
を有し、
前記検出プログラムが、前記圧電装置が所定の回数残留振動した後に、前記残留振動に基づいた前記信号のパルスの個数を数えることを特徴とする記録媒体。
【請求項１５】
インクジェット記録装置に接続された端末に対して、前記インクジェット記録装置に装着されたインクカートリッジ内のインクの消費状態を検出する記録装置制御回路を制御する検出制御プログラムを送信する情報処理装置であって、
前記インクカートリッジに装着された圧電装置の振動部に残留する残留振動によって前記圧電装置が発生した信号における所定個数のパルスが生じる時間を計測して検出結果に応じた信号を出力するよう前記記録装置制御回路を制御する検出プログラムを電気通信回線を介して前記端末に送信し、
前記検出プログラムが、前記圧電装置が所定の回数残留振動した後に、前記残留振動に基づいた信号のパルスの個数を数えることを特徴とする情報処理装置。
【請求項１６】
インクジェット記録装置に接続された端末に対して、前記インクジェット記録装置に装着されたインクカートリッジ内のインクの消費状態を検出する記録装置制御回路を制御する検出制御プログラムを送信する情報処理装置であって、
前記インクカートリッジに装着された圧電装置の振動部に残留する残留振動によって前記圧電装置が発生した信号における一定時間に発生したパルスの個数を計測して検出結果に応じた信号を出力するよう前記記録装置制御回路を制御する検出プログラムを電気通信回線を介して前記端末に送信し、
前記検出プログラムが、前記圧電装置が所定の回数残留振動した後に、前記残留振動に基づいた前記信号のパルスの個数を数えることを特徴とする情報処理装置。
【請求項１７】
コンピュータで読み取り可能な記録媒体であって、
圧電素子を有する圧電装置を用いて液体を収容する液体容器内の液体の消費状態を検出する記録装置制御回路を制御する液体消費状態検出プログラムを格納し、
前記液体消費状態検出プログラムが、
前記液体容器に装着された前記圧電装置の振動部に残留する残留振動に基づいて前記圧電装置が発生する信号における所定個数のパルスが生じる時間を計測検出結果に応じた信号を出力するよう前記記録装置制御回路を制御する検出プログラムと
を有し、
前記検出プログラムが、前記残留振動に基づいた前記信号のパルスの個数を数え、
前記検出プログラムは、前記圧電装置が所定の回数残留振動して前記残留振動が安定した後に、数えられた所定個数のパルスが生じる時間を計測することにより、前記検出結果に応じた信号を出力することを特徴とする記録媒体。
【請求項１８】
インクジェット記録装置に接続された端末に対して、前記インクジェット記録装置に装着されたインクカートリッジ内のインクの消費状態を検出する記録装置制御回路を制御する検出制御プログラムを送信する情報処理装置であって、
前記インクカートリッジに装着された圧電装置の振動部に残留する残留振動によって前記圧電装置が発生した信号における所定個数のパルスが生じる時間を計測して検出結果に応じた信号を出力するよう前記記録装置制御回路を制御する検出プログラムを電気通信回線を介して前記端末に送信し、
前記検出プログラムが、前記残留振動に基づいた前記信号のパルスの個数を数え、
前記検出プログラムは、前記圧電装置が所定の回数残留振動して前記残留振動が安定し
た後に、数えられた所定個数のパルスが生じる時間を計測することにより、前記検出結果に応じた信号を出力することを特徴とする情報処理装置。